(57)【要約】【課題】表示に不具合がなく安定した表示をすることが可能な表示切替装置、表示切替方法、表示切替プログラムおよびトータリゼータシステムを提供すること。【解決手段】第１の映像送出設備または第２の映像送出設備の何れかで作成された映像コンテンツを映像表示装置に表示するように切替制御する表示切替装置であって、予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する。【選択図】図３
2018022104.tif 000002
【特許請求の範囲】
【請求項１】
第１の映像送出設備または第２の映像送出設備の何れかで作成された映像コンテンツを映像表示装置に表示するように切替制御する表示切替装置であって、
予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する、ことを特徴とする表示切替装置。
【請求項２】
更に、前記基準映像情報と前記第２の映像送出設備から前記映像表示装置に送出される第２の送出映像情報を比較し、前記基準映像情報と前記第２の送出映像情報が一致しない場合、前記映像表示装置へ前記映像コンテンツを表示させないように制御する、ことを特徴とする請求項１に記載の表示切替装置。
【請求項３】
前記映像表示装置に何も表示させないように制御する、ことを特徴とする請求項２に記載の表示切替装置。
【請求項４】
第１の映像送出設備または第２の映像送出設備の何れかで作成された映像コンテンツを映像表示装置に表示するように切替制御する表示切替装置において実行される表示切替方法であって、
予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する、ことを特徴とする表示切替方法。
【請求項５】
第１の映像送出設備または第２の映像送出設備の何れかで作成された映像コンテンツを映像表示装置に表示するように切替制御する表示切替装置における表示切替プログラムであって、
前記表示切替装置のコンピュータに、
予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する処理、を実行させることを特徴とする表示切替プログラム。
【請求項６】
第１の映像送出設備および第２の映像送出設備と、映像表示装置と、表示切替装置とが互いに接続されたトータリゼータシステムであって、
前記表示切替装置は、予め定められた基準映像情報と前記第１の映像送出設備から前記映像表示装置に送出される第１の送出映像情報を比較し、前記基準映像情報と前記第１の送出映像情報が一致しない場合、前記第２の映像送出設備で作成された映像コンテンツを前記映像表示装置へ表示させるように切換制御する、ことを特徴とするトータリゼータシステム。
【発明の詳細な説明】
【技術分野】
【０００１】
本発明は、二重化された映像送出設備において、出力映像の異常を検出して自動で切替制御を行う表示切替装置、表示切替方法、表示切替プログラムおよびトータリゼータシステム関する。
【背景技術】
【０００２】
従来、スタジアムや公営競技場等には、映像送出設備と映像表示装置とがＬＡＮ等で接続されたトータリゼータシステムが設置されている。スタジアムや公営競技場等では、場内各所に設置された大小の映像表示装置に多種多様な情報を表示している。
【０００３】
競馬場、競輪場、競艇場、オートレース場等の公営競技場においては、出走馬や出走艇等、オッズ画面、レース中継全画面、オッズ画面とレース中継画面を合成した画面など、様々に組み合わせた映像を映像表示装置に表示させている（例えば、特許文献１参照。）。
【０００４】
このような映像表示装置に表示されるオッズ画面等の映像データは、例えば、映像送出設備が備えるパーソナルコンピュータ（以下、「パソコン」という）が作成する。また、映像送出設備が備えるトータリゼータホストは、オッズ画面等の映像データと、カメラ中継等の動画表示としての映像データとを合成し、映像表示装置に表示させている。
【０００５】
ところで、映像表示装置に表示される映像コンテンツは、以下の（ａ）乃至（ｄ）の原因で伝送されなかったり、劣化／ノイズ／レイアウト異常が発生したりして、映像表示装置の表示に不具合が起こることがある。
【０００６】
（ａ）映像コンテンツを作成する装置であるコンテンツサーバーの故障
（ｂ）オッズ画面を送出する装置（パソコン等）の故障
（ｃ）変換器や編集装置の故障、設定、操作ミス
（ｄ）伝送装置の故障、伝送路の異常
【０００７】
このような不具合に対処するため、映像送出設備は、信頼性確保を目的として二重化されている（例えば、特許文献２乃至４参照。）。他方、映像表示装置は、二重化されていないため、途中に出力系統を選択するための「切替器」が必要となる。
【０００８】
図１は、従来のトータリゼータシステムの概略構成を示す図である。
図１に示すように、従来のトータリゼータシステムは、映像送出設備１０と表示盤２０に設置された映像表示装置２１を備える。映像表示装置２１は複数であり、場内各所に設置されている。映像送出設備１０は、二重化されている。例えば、映像送出設備１０は、現用のトータリゼータホスト１１Ａおよび現用のオッズ作成ＰＣ１２Ａから構成される現用システムと、予備のトータリゼータホスト１１Ｂおよび予備のオッズ作成ＰＣ１２Ｂから構成される予備システムと、表示切替器１３とを備える。
【０００９】
トータリゼータホスト１１Ａおよび１１Ｂは、それぞれが同一の映像コンテンツを作成する。オッズ作成ＰＣ１２Ａおよび１２Ｂは、それぞれが同一のオッズ画面等を作成する。複数の映像表示装置２１は、それぞれ同一の画面を表示している。映像表示装置２１は、トータリゼータホスト１１Ａが作成した映像コンテンツおよびオッズ作成ＰＣ１２Ａが作成したオッズ画面等を表示している時は、トータリゼータホスト１１Ｂが作成した映像コンテンツおよびオッズ作成ＰＣ１２Ｂが作成したオッズ画面等を表示していない。
【００１０】
表示切替器１３は、上述のような不具合を認識した係員の操作に従って、不具合が発生している現用システムから正常に動作している予備システムへ、映像表示装置２１への表示を切り替えている。
【先行技術文献】
【特許文献】
【００１１】
【特許文献１】特開２０１３−１３７４５３号公報
【特許文献２】特開平０９−１６２９１０号公報
【特許文献３】特開２００４−００５６２８号公報
【特許文献４】特開２０１２−１３３６２２号公報
【発明の概要】
【発明が解決しようとする課題】
【００１２】
上述したように、従来のトータリゼータシステムにおいては、映像送出設備１０の不具合を場内にいる係員（人間）が目視により確認し、表示切替器１３を手動で操作して切替制御を行っていた。
【００１３】
しかしながら、公営競技場内のような小規模の設備では専門に監視する係員を配置することができず、不具合に気付かなかったり気付くのが遅れたりすることがある。このような場合、映像表示装置２１は、正しい表示が出来ない、という問題があった。
【００１４】
本発明は、上述のような実状に鑑みたものであり、表示に不具合がなく安定した表示をすることが可能な表示切替装置、表示切替方法、表示切替プログラムおよびトータリゼータシステムを提供することを目的とする。
【課題を解決するための手段】
【００１５】
本発明は、上記課題を解決するため、下記のような構成を採用した。
すなわち、本発明の一態様によれば、本発明の表示切替装置は、第１の映像送出設備または第２の映像送出設備の何れかで作成された映像コンテンツを映像表示装置に表示するように切替制御する表示切替装置であって、予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する、ことを特徴とする。
【００１６】
また、本発明の表示切替装置は、更に、前記基準映像情報と前記第２の映像送出設備から前記映像表示装置に送出される第２の送出映像情報を比較し、前記基準映像情報と前記第２の送出映像情報が一致しない場合、前記映像表示装置へ前記映像コンテンツを表示させないように制御することが望ましい。
【００１７】
また、本発明の表示切替装置は、前記映像表示装置に何も表示させないように制御することが望ましい。
【００１８】
また、本発明の一態様によれば、本発明の表示切替方法は、第１の映像送出設備または第２の映像送出設備の何れかで作成された映像コンテンツを映像表示装置に表示するように切替制御する表示切替装置において実行される表示切替方法であって、予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する、ことを特徴とする。
【００１９】
また、本発明の一態様によれば、本発明の表示切替プログラムは、第１の映像送出設備または第２の映像送出設備の何れかで作成された映像コンテンツを映像表示装置に表示するように切替制御する表示切替装置における表示切替プログラムであって、前記表示切替装置のコンピュータに、予め定められた基準映像情報と前記第１の映像送出設備から前記映像表示装置に送出される第１の送出映像情報を比較し、前記基準映像情報と前記第１の送出映像情報が一致しない場合、前記第２の映像送出設備から前記映像表示装置へ前記映像コンテンツを表示させるように切換制御する処理を実行させることを特徴とする表示切替プログラムである。
【００２０】
また、本発明の一態様によれば、本発明のトータリゼータシステムは、第１の映像送出設備および第２の映像送出設備と、映像表示装置と、表示切替装置とが互いに接続されたトータリゼータシステムであって、前記表示切替装置が、予め定められた基準映像情報と前記第１の映像送出設備から前記映像表示装置に送出される第１の送出映像情報を比較し、前記基準映像情報と前記第１の送出映像情報が一致しない場合、前記第２の映像送出設備で作成された映像コンテンツを前記映像表示装置へ表示させるように切換制御することを特徴とする。
【発明の効果】
【００２１】
本発明によれば、映像表示装置に表示されるべき映像コンテンツの表示に不具合がなく、安定した表示をすることができる、という効果を奏する。
【図面の簡単な説明】
【００２２】
【図１】従来のトータリゼータシステムの概略構成を示す図である。
【図２】本実施の形態におけるトータリゼータシステムの概略構成を示す図である。
【図３】本実施の形態における映像送出設備の概略構成を示す図である。
【図４】比較画像情報の例を示す図である。
【図５】信号フォーマット情報および監視条件の例を示す図である。
【図６】イベント監視条件の例を示す図である。
【図７】本実施の形態における表示切替処理の流れを示すフローチャートである。
【図８】本実施の形態におけるサブルーチン「イベント連動監視処理」の流れを示すフローチャートである。
【図９】表示画面の空きエリアが黒色表示されている例を示す図である。
【図１０】表示する内容が固定されている公営競技用の表示画面の例を示す図である。
【図１１】表示する内容が固定されている公営競技用の表示画面の比較パターンの例を示す図である。
【図１２】決められた位置にイベント情報によって異なる表示を行う公営競技用の表示画面の例を示す図である。
【図１３】決められた位置にイベント情報によって異なる表示を行う公営競技用の表示画面の比較パターンの例を示す図である。
【発明を実施するための形態】
【００２３】
以下、本発明の実施の形態について、図面を参照しながら詳細に説明する。
図２は、本実施の形態におけるトータリゼータシステムの概略構成を示す図である。
【００２４】
図２に示すように、本実施の形態におけるトータリゼータシステムは、映像送出設備３０と表示盤２０に設置された映像表示装置２１を備える。
【００２５】
映像表示装置２１は複数であり、競馬場、競輪場、競艇場、オートレース場等の公営競技場の場内各所に設置されている。映像表示装置２１は、例えば、ＬＥＤ表示装置であり、出走馬情報、オッズ情報、レース中継動画等の様々な情報が表示される。
【００２６】
映像送出設備３０は、二重化されている。例えば、映像送出設備３０は、現用のトータリゼータホスト１１Ａおよび現用のオッズ作成ＰＣ１２Ａから構成される現用システムと、予備のトータリゼータホスト１１Ｂおよび予備のオッズ作成ＰＣ１２Ｂから構成される予備システムと、表示切替装置１４とを備える。
【００２７】
トータリゼータホスト１１Ａおよび１１Ｂは、それぞれが同一の映像コンテンツを作成する。オッズ作成ＰＣ１２Ａおよび１２Ｂは、それぞれが同一のオッズ画面等を作成する。複数の映像表示装置２１は、それぞれ同一の画面を表示している。映像表示装置２１は、トータリゼータホスト１１Ａが作成した映像コンテンツおよびオッズ作成ＰＣ１２Ａが作成したオッズ画面等を表示している時は、トータリゼータホスト１１Ｂが作成した映像コンテンツおよびオッズ作成ＰＣ１２Ｂが作成したオッズ画面等を表示していない。
【００２８】
表示切替装置１４は、トータリゼータホスト１１Ａが作成した映像コンテンツおよびオッズ作成ＰＣ１２Ａが作成したオッズ画面等を映像表示装置２１へ伝送するための伝送路を監視する機能を有する。同様に、表示切替装置１４は、トータリゼータホスト１１Ｂが作成した映像コンテンツおよびオッズ作成ＰＣ１２Ｂが作成したオッズ画面等を映像表示装置２１へ伝送するための伝送路を監視する機能を有する。表示切替装置１４は、伝送路中の映像信号を解析し、無信号、解像度違い、ノイズ発生等の映像信号異常を検出する。表示切替装置１４は、映像信号異常を検出すると、不具合が発生している現用システムから正常に動作している予備システムへ、映像表示装置２１への表示を切り替える。さらに、表示切替装置１４は、映像信号異常を示す情報の出力（表示、警報音、通信回線を利用して係員へ異常発生伝達）を行う。
【００２９】
また、表示切替装置１４は、トータリゼータホスト１１Ａおよび１１Ｂと通信回線を利用して接続し、トータリゼータホスト１１Ａおよび１１Ｂからのイベント情報を受信し、映像表示装置２１に表示されているべき画面が表示されているかを監視する機能を有する。表示切替装置１４は、表示されるべき画面が映像表示装置２１に表示されていないことを検出すると、不具合が発生している現用システムから正常に動作している予備システムへ、映像表示装置２１への表示を切り替える。さらに、表示切替装置１４は、映像信号異常を示す情報の出力（表示、警報音、通信回線を利用して係員へ異常発生伝達）を行う。
【００３０】
図３は、本実施の形態における映像送出設備の概略構成を示す図である。図４は、比較画像情報の例を示す図である。図５は、信号フォーマット情報および監視条件の例を示す図である。図６は、イベント監視条件の例を示す図である。
【００３１】
図３において、映像送出設備３０は、現用のトータリゼータホスト１１Ａおよび現用のオッズ作成ＰＣ１２Ａから構成される現用システムと、予備のトータリゼータホスト１１Ｂおよび予備のオッズ作成ＰＣ１２Ｂから構成される予備システムと、表示切替装置１４とを備える。表示切替装置１４は、映像情報解析部１５、映像異常監視部１６、装置制御部１７および映像切替部１８を備える。
【００３２】
トータリゼータホスト１１Ａは、動作条件設定保存部１１１Ａ、制御部１１２Ａおよび通信制御部１１３Ａを備える。トータリゼータホスト１１Ｂは、動作条件設定保存部１１１Ｂ、制御部１１２Ｂおよび通信制御部１１３Ｂを備える。
【００３３】
動作条件設定保存部１１１Ａは、トータリゼータホスト１１Ａが動作するための動作条件を設定して保存する。動作条件設定保存部１１１Ｂは、トータリゼータホスト１１Ｂが動作するための動作条件を設定して保存する。通信制御部１１３Ａは、オッズ作成ＰＣ１２Ａおよび表示切替装置１４と通信するため、ＬＡＮ配線等に対する通信インターフェースの機能を有する。通信制御部１１３Ｂは、オッズ作成ＰＣ１２Ｂおよび表示切替装置１４と通信するため、ＬＡＮ配線等に対する通信インターフェースの機能を有する。制御部１１２Ａは、トータリゼータホスト１１Ａの全体を制御する。制御部１１２Ｂは、トータリゼータホスト１１Ｂの全体を制御する。
【００３４】
オッズ作成ＰＣ１２Ａは、通信制御部１２１Ａ、文字情報生成部１２２Ａ、文字情報保存部１２３Ａおよび画像変換部１２４Ａを備える。オッズ作成ＰＣ１２Ｂは、通信制御部１２１Ｂ、文字情報生成部１２２Ｂ、文字情報保存部１２３Ｂおよび画像変換部１２４Ｂを備える。
【００３５】
通信制御部１２１Ａは、トータリゼータホスト１１Ａおよび表示切替装置１４と通信するため、ＬＡＮ配線等に対する通信インターフェースの機能を有する。通信制御部１２１Ｂは、トータリゼータホスト１１Ｂおよび表示切替装置１４と通信するため、ＬＡＮ配線等に対する通信インターフェースの機能を有する。文字情報生成部１２２Ａおよび１２２Ｂは、表示切替装置１４が表示するテロップ等の文字情報を入力して生成する。文字情報保存部１２３Ａは、文字情報生成部１２２Ａが生成した文字情報を保存する。文字情報保存部１２３Ｂは、文字情報生成部１２２Ｂが生成した文字情報を保存する。画像変換部１２４Ａおよび１２４Ｂは、文字情報を映像信号に変換して表示切替装置１４へ送出する。
【００３６】
映像情報解析部１５は、信号フォーマット解析部１５１、映像信号変換部１５２および画面情報保存部１５３を備える。
【００３７】
信号フォーマット解析部１５１は、オッズ作成ＰＣ１２Ａまたは１２Ｂから入力された映像信号の同期信号を解析して解像度を判定する。また、映像信号に付加される信号情報より解像度を判定する。映像信号変換部１５２は、オッズ作成ＰＣ１２Ａまたは１２Ｂより受信した映像信号を、画素毎に色情報に展開した画面情報に変換する。画面情報保存部１５３は、映像信号変換部１５２で変換した画面情報を保存する。
【００３８】
映像異常監視部１６は、信号フォーマット異常検出部１６１、映像異常検出部１６２、信号フォーマット情報保存部１６３および比較画像情報保存部１６４を備える。
【００３９】
比較画像情報保存部１６４は、トータリゼータホスト１１Ａまたは１１Ｂより通知されたイベント情報と比較するための画像（比較パターン）を含む比較画像情報を保存する。比較パターンには比較位置（座標）を割り当てた情報が対応付けられている。例えば、図４に示したような比較画像情報を保存する。映像異常検出部１６２は、画面情報保存部１５３に格納されたデータと比較画像情報保存部１６４に格納されたデータとを比較し、異常が発生しているかどうかを検出する。信号フォーマット情報保存部１６３は、使用する信号フォーマットの情報を保存する。信号フォーマット情報保存部１６３は、図５に示すように、例えば、解像度＝１０２４×７６８ドットを信号フォーマット情報として保存している。信号フォーマット異常検出部１６１は、信号フォーマット解析部１５１からの情報と信号フォーマット情報保存部１６３のデータを比較し、異常が発生しているかどうかを検出する。
【００４０】
装置制御部１７は、操作表示部１７１、監視条件設定保存部１７２、イベント監視条件保存部１７３、制御部１７４および通信制御部１７５を備える。
【００４１】
監視条件設定保存部１７２は、監視動作の条件、監視周期等の設定情報を保存する。監視条件設定保存部１７２は、図５に示すように、例えば、無信号監視周期＝１秒、信号フォーマット監視周期＝１秒、画面更新監視周期＝１０秒、空き映像エリア監視周期＝１秒、空き映像エリアとして、空きエリア座標＝（０，４８０）〜(１０２４，７６８)、およびイベント連動監視周期＝１秒を保存している。イベント監視条件保存部１７３は、イベント連動監視を行うためのイベント監視条件を保存する。例えば、図６に示すようなイベント監視条件条件（イベント種類、確認座標、確認パタン）を保存する。操作表示部１７１は、表示切替装置１４の設定操作を行う。通信制御部１７５は、トータリゼータホスト１１Ａおよびオッズ作成ＰＣ１２Ａとの通信、または、トータリゼータホスト１１Ｂおよびオッズ作成ＰＣ１２Ｂとの通信を行うため、ＬＡＮ配線等に対する通信インターフェースの機能を有する。例えば、トータリゼータホスト１１Ａまたは１１Ｂからイベント情報の入手を行う。制御部１７４は、映像情報の保存、異常監視制御、切替制御等の表示切替装置１４全体の制御を行う。
【００４２】
映像切替部１８は、切替制御部１８１および黒画面信号発生部１８２を備える。
切替制御部１８１は、装置制御部１７からの指示により、映像表示装置２１へ送出する信号系統を切り替える。黒画面信号発生部１８２は、入力映像信号が２系統（現用システムおよび予備システム）とも異常の時に黒画面を出力させるための映像信号を生成する。
【００４３】
次に、図７乃至図１３を用いて、本実施の形態を詳細に説明する。
図７は、本実施の形態における表示切替処理の流れを示すフローチャートである。図８は、本実施の形態におけるサブルーチン「イベント連動監視処理」の流れを示すフローチャートである。図９は、表示画面の空きエリアが黒色表示されている例を示す図である。図１０は、表示する内容が固定されている公営競技用の表示画面の例を示す図である。図１１は、表示する内容が固定されている公営競技用の表示画面の比較パターンの例を示す図である。図１２は、決められた位置にイベント情報によって異なる表示を行う公営競技用の表示画面の例を示す図である。図１３は、決められた位置にイベント情報によって異なる表示を行う公営競技用の表示画面の比較パターンの例を示す図である。
【００４４】
図７に示した「表示切替処理」は、上述した表示切替装置１４が実行する。
ステップＳ７０１Ａ乃至Ｓ７０７Ａの処理は、現用のシステム（トータリゼータホスト１１Ａおよびオッズ作成ＰＣ１２Ａ）を監視する処理である。ステップＳ７０１Ｂ乃至Ｓ７０７Ｂの処理は、予備のシステム（トータリゼータホスト１１Ｂおよびオッズ作成ＰＣ１２Ｂ）を監視する処理である。ステップＳ７０１Ａ乃至Ｓ７０７Ａの処理とステップＳ７０１Ｂ乃至Ｓ７０７Ｂの処理は、並行して実行される。
【００４５】
表示切替装置１４の制御部１７４は、ステップＳ７０１Ａにおいて、現用のシステムの監視処理を実行する。また、ステップＳ７０１Ｂにおいて、予備のシステムの監視処理を実行する。
【００４６】
これらの監視処理には、（１）黒画面監視処理、（２）映像フォーマット監視処理、（３）空き映像エリア監視処理、（４）イベント連動監視処理がある。
【００４７】
（１）黒画面監視処理は、無表示状態でないか否かを確認するため、画面全体が黒画面でないか否かを監視する。（２）映像フォーマット監視処理は、決められた解像度の同期信号が入力されているか否かを監視する。（３）空き映像エリア監視処理は、映像表示装置２１の空き映像エリアが常に黒色か否かを監視することにより、画面全体のノイズ発生を検知する。図９に示すように、映像表示装置２１は、パソコン用映像画面の一部を使用し、他の部分は空き映像エリアとして黒色表示にしている。（４）イベント連動監視処理は、図８を用いて詳細を後述する。
【００４８】
制御部１７４は、ステップＳ７０２ＡおよびＳ７０２Ｂにおいて、（１）黒画面監視処理の実行により、無信号状態か否かを判断する。図５に示すような監視条件設定保存部１７２の設定（無信号監視周期＝１秒）に基づいて、信号フォーマット異常検出部１６１が、信号フォーマット解析部１５１で入力映像信号の同期信号が入力されているかを確認し、同期信号が入力されていなければ無信号異常と判定する。映像表示装置２１の画面全体が黒画面になる。
【００４９】
無信号状態であると判断された場合（ステップＳ７０２Ａ：Ｙｅｓ、ステップＳ７０２Ｂ：Ｙｅｓ）、制御部１７４は、ステップＳ７０３ＡまたはＳ７０３Ｂにおいて、切替制御部１８１に対して、異常（無信号状態）の発生を通知すると共に、異常の発生を表示画面や警報音等によって係員に通知する。他方、無信号状態でないと判断された場合（ステップＳ７０２Ａ：Ｎｏ、ステップＳ７０２Ｂ：Ｎｏ）、ステップＳ７０４ＡおよびＳ７０４Ｂに進む。
【００５０】
制御部１７４は、ステップＳ７０４ＡおよびＳ７０４Ｂにおいて、（２）映像フォーマット監視処理により、決められた解像度の同期信号が入力されているか否かを判断する。図５に示すような監視条件設定保存部１７２の設定（信号フォーマット監視周期＝１秒）に基づいて、信号フォーマット異常検出部１６１が、信号フォーマット解析部１５１で入力映像信号の同期信号を解析し、信号フォーマット情報保存部１６３の設定値（解像度）と比較し、異なれば映像フォーマットは正常でない（解像度異常）と判定する。
【００５１】
解像度異常であると判断された場合（ステップＳ７０４Ａ：Ｎｏ、ステップＳ７０４Ｂ：Ｎｏ）、制御部１７４は、ステップＳ７０３ＡまたはＳ７０３Ｂにおいて、切替制御部１８１に対して、解像度異常の発生を通知すると共に、異常の発生を表示画面や警報音等によって係員に通知する。他方、解像度異常でないと判断された場合（ステップＳ７０４Ａ：Ｙｅｓ、ステップＳ７０４Ｂ：Ｙｅｓ）、ステップＳ７０５ＡおよびＳ７０５Ｂに進む。
【００５２】
制御部１７４は、ステップＳ７０５ＡおよびＳ７０５Ｂにおいて、（３）空き映像エリア監視処理により、画面ノイズが発生したか否かを判断する。例えば、映像表示装置２１の空き映像エリアが常に黒色か否かを判断する。画面情報保存部１５３には、一定周期で入力映像信号から生成した画面情報を保存している。この画像情報のうち監視条件設定保存部１７２で設定された空き映像エリアが黒色表示であることを確認し、空き映像エリアが黒色でなければ画面ノイズが発生したと判断する。
【００５３】
画面ノイズが発生したと判断された場合（ステップＳ７０５Ａ：Ｎｏ、ステップＳ７０５Ｂ：Ｎｏ）、制御部１７４は、ステップＳ７０３ＡまたはＳ７０３Ｂにおいて、切替制御部１８１に対して、異常（画面ノイズ）の発生を通知すると共に、異常の発生を表示画面や警報音等によって係員に通知する。他方、画面ノイズの発生が無いと判断された場合（ステップＳ７０５Ａ：Ｙｅｓ、ステップＳ７０５Ｂ：Ｙｅｓ）、ステップＳ７０６ＡおよびＳ７０６Ｂに進む。
【００５４】
制御部１７４は、ステップＳ７０６ＡおよびＳ７０６Ｂにおいて、（４）イベント連動監視処理により、表示指示通りに画面表示がされているか否かを判断する。詳細は、図８、図１０乃至図１３を用いて後述する。
【００５５】
表示指示通りに画面表示がされていないと判断された場合（ステップＳ７０６Ａ：Ｎｏ、ステップＳ７０６Ｂ：Ｎｏ）、制御部１７４は、ステップＳ７０３ＡまたはＳ７０３Ｂにおいて、切替制御部１８１に対して、異常（表示指示通りに画面表示がされていない）の発生を通知すると共に、異常の発生を表示画面や警報音等によって係員に通知する。他方、表示指示通りに画面表示がされていると判断された場合（ステップＳ７０６Ａ：Ｙｅｓ、ステップＳ７０６Ｂ：Ｙｅｓ）、ステップＳ７０２ＡおよびＳ７０２Ｂに戻り、ステップＳ７０２ＡおよびＳ７０２Ｂ以降を繰り返す。
【００５６】
そして、現用のシステムにおいて何らかの異常が発生していた場合（ステップＳ７０２Ａの判断がＹｅｓであるか、ステップＳ７０４Ａ、ステップＳ７０５Ａ、ステップＳ７０６Ａの何れかの判断がＮｏである場合）には、制御部１７４は、ステップＳ７０７Ａにおいて、予備のシステムが正常か否かを判断する。ステップＳ７０２Ｂの判断がＮｏであり、ステップＳ７０４Ｂ、ステップＳ７０５Ｂ、ステップＳ７０６Ｂの何れの判断もＹｅｓであり続けている場合、予備のシステムが正常であると判断する。
【００５７】
ステップＳ７０７Ａで予備のシステムが正常であると判断された場合（ステップＳ７０７Ａ：Ｙｅｓ）、制御部１７４は、ステップＳ７０８Ａにおいて、切替制御部１８１に対して、映像表示装置２１へ送出する信号系統を現用のシステムから予備のシステムへ切り替えるように指示する。
【００５８】
また、予備のシステムにおいて何らかの異常が発生していた場合（ステップＳ７０２Ｂの判断がＹｅｓであるか、ステップＳ７０４Ｂ、ステップＳ７０５Ｂ、ステップＳ７０６Ｂの何れかの判断がＮｏである場合）には、制御部１７４は、ステップＳ７０７Ｂにおいて、現用のシステムが正常か否かを判断する。ステップＳ７０２Ａの判断がＮｏであり、ステップＳ７０４Ａ、ステップＳ７０５Ａ、ステップＳ７０６Ａの何れの判断もＹｅｓであり続けている場合、現用のシステムが正常であると判断する。
【００５９】
ステップＳ７０７Ｂで現用のシステムが正常であると判断された場合（ステップＳ７０７Ｂ：Ｙｅｓ）、制御部１７４は、ステップＳ７０８Ｂにおいて、切替制御部１８１に対して、映像表示装置２１へ送出する信号系統を予備のシステムから現用のシステムへ切り替えるように指示する。
【００６０】
他方、ステップＳ７０７Ａで予備のシステムが正常でないと判断され（ステップＳ７０７Ａ：Ｎｏ）、ステップＳ７０７Ｂで現用のシステムも正常でないと判断された場合（ステップＳ７０７Ｂ：Ｎｏ）、制御部１７４は、ステップＳ７０９において、切替制御部１８１に対して、黒画面信号発生部１８２が生成した映像信号により、映像表示装置２１に黒画面を出力させるように指示する。黒画面を映像表示装置２１に出力させるのは、場内の混乱を避けるためである。
【００６１】
図８、図１０乃至図１３を用いて、表示指示通りに画面表示がされているか否かを判断する「イベント連動監視処理」について詳細に説明する。
【００６２】
表示切替装置１４は、ステップＳ８０１において、映像表示装置２１に表示する表示画面をチェックする。例えば、通信制御部１７５が、トータリゼータホスト１１Ａおよび１１Ｂからイベント情報の入手を行い、映像信号変換部１５２が、オッズ作成ＰＣ１２ＡおよびＰＣ１２Ｂより受信した映像信号を、画素毎に色情報に展開した画面情報に変換し、画面情報保存部１５３に保存する。
【００６３】
制御部１７４は、ステップＳ８０２において、ステップＳ８０１でチェックした表示画面について、予め定められた特定箇所の表示内容が変更される可能性のある画面であるのか否かを判断する。例えば、図１０に示した第１の監視箇所１００１および第２の監視箇所１００２は、表示する内容が固定されているので表示内容が変更される可能性がない。図１０に示したオッズ画面では、第１の監視箇所１００１に「１」が表示され、第２の監視箇所１００２に「差引」が表示される。他方、図１２に示した第３の監視箇所１２０１および第４の監視箇所１２０２は、表示する内容がイベント情報によって異なるので表示内容が変更される可能性がある。図１２に示した着順画面では、第３の監視箇所１２０１に「審議」が表示されたり、「確定」が表示されたりする。また、第４の監視箇所１２０２には３着（ＩＩＩ着）に入った番号（例えば、馬番の３）が表示される。
【００６４】
特定箇所の表示内容が変更される可能性がある画面でないと判断された場合（ステップＳ８０２：Ｎｏ）、制御部１７４は、ステップＳ８０３において、予め定めた特定箇所の座標位置を設定する。例えば、図１０に示した第１の監視箇所１００１の座標位置を設定する。
【００６５】
映像異常検出部１６２は、ステップＳ８０４において、比較画像情報保存部１６４から座標位置に対応する比較パターンを抽出する。例えば、図１１に示すような比較パターン「１」を抽出する。
【００６６】
映像異常検出部１６２は、ステップＳ８０５において、特定箇所の画像とステップＳ８０４で抽出した比較パターンが同一か否かを判断することにより、特定箇所の表示が正しいか否かを判断する。
【００６７】
表示が正しいと判断された場合（ステップＳ８０５：Ｙｅｓ）、ステップＳ８０７に進む。他方、表示が正しくないと判断された場合（ステップＳ８０５：Ｎｏ）、制御部１７４は、ステップＳ８０６において、正しくない表示が行われている表示箇所を含む情報をメモリ上に格納する。
【００６８】
制御部１７４は、ステップＳ８０７において、予め定められた特定箇所が他にあるか否かを判断する。
【００６９】
他にあると判断された場合（ステップＳ８０７：Ｙｅｓ）、ステップＳ８０３に戻る。他方、他には無いと判断された場合（ステップＳ８０７：Ｎｏ）、本サブルーチン「イベント連動監視処理」を終了し、図７の「表示切替処理」に戻る。
【００７０】
他方、ステップＳ８０２で、特定箇所の表示内容が変更される可能性がある画面であると判断された場合（ステップＳ８０２：Ｙｅｓ）、制御部１７４は、ステップＳ８０８において、予め定めた特定箇所の座標位置を設定すると共に、ステップＳ８０１で入手したイベント情報に基づいて、画面の「何処に」「何を」表示するのかの情報（表示内容）を判断する。例えば、図１２に示した第３の監視箇所１２０１の座標位置を設定し、表示内容が「審議」であると判断する。
【００７１】
映像異常検出部１６２は、ステップＳ８０９において、比較画像情報保存部１６４から座標位置に対応する比較パターンを抽出する。例えば、図１３に示すような比較パターン「審議」を抽出する。
【００７２】
映像異常検出部１６２は、ステップＳ８１０において、特定箇所の画像とステップＳ８０９で抽出した比較パターンが同一か否かを判断することにより、特定箇所の表示が正しいか否かを判断する。
【００７３】
表示が正しいと判断された場合（ステップＳ８１０：Ｙｅｓ）、ステップＳ８１２に進む。他方、表示が正しくないと判断された場合（ステップＳ８１０：Ｎｏ）、制御部１７４は、ステップＳ８１１において、正しくない表示が行われている表示箇所を含む情報をメモリ上に格納する。
【００７４】
制御部１７４は、ステップＳ８１２において、予め定められた特定箇所が他にあるか否かを判断する。
【００７５】
他にあると判断された場合（ステップＳ８１２：Ｙｅｓ）、ステップＳ８０８に戻る。他方、他には無いと判断された場合（ステップＳ８１２：Ｎｏ）、本サブルーチン「イベント連動監視処理」を終了し、図７の「表示切替処理」に戻る。
【００７６】
以上、説明したように、本実施の形態によれば、現用のシステムに異常が発生しても自動で予備にシステムに切り替える事が可能となる。これにより障害対応を短時間で行う事ができるため、ファンサービス向上が期待できる。また、監視作業者の負担軽減、運用コストの削減が期待できる。
【００７７】
以上、本発明の実施の形態を、図面を参照しながら説明してきたが、上述してきた本発明の実施の形態は、表示切替装置の一機能としてハードウェアまたはＤＳＰ（Digital Signal Processor）ボードまたはＣＰＵボードでのファームウェアもしくはソフトウェアにより実現することができる。
【００７８】
また、本発明が適用される表示切替装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７９】
また、バスに接続されたＣＰＵ、ＲＯＭまたはＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭまたはＲＡＭのメモリ、外部記録装置、可搬記録媒体を、表示切替装置に供給し、その表示切替装置のコンピュータがプログラムを読み出し実行することによっても、達成されることは言うまでもない。
【００８０】
この場合、可搬記録媒体等から読み出されたプログラム自体が本発明の新規な機能を実現することになり、そのプログラムを記録した可搬記録媒体等は本発明を構成することになる。
【００８１】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールまたはパソコン通信等のネットワーク接続装置（言い換えれば、通信回線）を介して記録した種々の記録媒体などを用いることができる。
【００８２】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００８３】
さらに、可搬型記録媒体から読み出されたプログラムまたはプログラム（データ）提供者から提供されたプログラム（データ）が、コンピュータに挿入された機能拡張ボードまたはコンピュータに接続された機能拡張ユニットに備わるメモリに書き込まれた後、そのプログラムの指示に基づき、その機能拡張ボードまたは機能拡張ユニットに備わるＣＰＵなどが実際の処理の一部または全部を行ない、その処理によっても前述した実施の形態の機能が実現され得る。
【００８４】
すなわち、本発明は、以上に述べた実施の形態に限定されるものではなく、本発明の要旨を逸脱しない範囲内で種々の構成または形状を取ることができる。
【符号の説明】
【００８５】
１０                  映像送出設備
１１Ａ                トータリゼータホスト（現用）
１１Ｂ                トータリゼータホスト（予備）
１２Ａ                オッズ作成ＰＣ（現用）
１２Ｂ                オッズ作成ＰＣ（予備）
１３                  表示切替器
１４                  表示切替装置
１５                  映像情報解析部
１６                  映像異常監視部
１７                  装置制御部
１８                  映像切替部
２０                  表示盤
２１                  映像表示装置
３０                  映像送出設備
１１１Ａ、１１１Ｂ    動作条件設定保存部
１１２Ａ、１１２Ｂ    制御部
１１３Ａ、１１３Ｂ    通信制御部
１２１Ａ、１２１Ｂ    通信制御部
１２２Ａ、１２２Ｂ    文字情報生成部
１２３Ａ、１２３Ｂ    文字情報保存部
１２４Ａ、１２４Ｂ    画像変換部
１５１                信号フォーマット解析部
１５２                映像信号変換部
１５３                画面情報保存部
１６１                信号フォーマット異常検出部
１６２                映像異常検出部
１６３                信号フォーマット情報保存部
１６４                比較画像情報保存部
１７１                操作表示部
１７２                監視条件設定保存部
１７３                イベント監視条件保存部
１７４                制御部
１７５                通信制御部
１８１                切替制御部
１８２                黒画面信号発生部
１００１              第１の監視箇所
１００２              第２の監視箇所
１２０１              第３の監視箇所
１２０２              第４の監視箇所
【図１】
2018022104.tif 000003
【図２】
2018022104.tif 000004
【図３】
2018022104.tif 000005
【図４】
2018022104.tif 000006
【図５】
2018022104.tif 000007
【図６】
2018022104.tif 000008
【図７】
2018022104.tif 000009
【図８】
2018022104.tif 000010
【図９】
2018022104.tif 000011
【図１０】
2018022104.tif 000012
【図１１】
2018022104.tif 000013
【図１２】
2018022104.tif 000014
【図１３】
2018022104.tif 000015